(57)【特許請求の範囲】
【請求項１】
ランプピン接触用の導電部材と、底部に略四角形の開口を有しこの開口の一対向縁部を前記底部の表面より低く形成し前記導電部材を収納するボディと、前記開口に嵌合する形状を有するとともに電線挿入穴を有して前記底部の前記表面より低い位置となるように一対向側縁部が前記開口の前記一対向縁部に当接するカバーとを備え、前記カバーの角部の他対向縁部側に切欠部を形成し、前記電線挿入穴を前記カバーの他対向側縁部に沿って一対の前記切欠部の間に形成し、前記開口は前記カバーの前記切欠部に前記開口の内周が合うように、前記ボディの前記開口の他対向縁部側の内側面の断面形状を前記切欠部と嵌合する形状としたことを特徴とするランプソケット。
【請求項２】
前記カバーは、前記カバーを前記ボディに挿入する方向に突出する一対の係止爪を有し、前記一対の係止爪は前記カバーの前記一対向側縁部の各中央位置からずれた前記カバーの一対角寄りの位置に形成され、前記ボディは前記係止爪を抜止め係止する係止孔を有する請求項１記載のランプソケット。
【請求項３】
電線解除穴を前記電線挿入穴の前記他対向側縁部と反対側に設けた請求項１または請求項２記載のランプソケット。
【請求項４】
前記電線挿入穴の前記他対向側縁部と反対側に端子番号を設けた請求項３記載のランプソケット。
【請求項５】
請求項１、請求項２、請求項３または請求項４記載のランプソケットを有する照明器具。
【発明の詳細な説明】
【０００１】
【発明の属する技術分野】
この発明は、片口金蛍光灯ソケット等のランプソケットおよび照明器具に関するものである。
【０００２】
【従来の技術】
従来（例えば実公平３−３６０５８号）は、ランプピン接触用の導電部材を収納するボディの裏面開口に、これを閉塞するカバーを設け、カバーに電線挿入穴を設けている。そしてカバーをボディ内の打ち込み穴に当接し打ち込み鋲により固定していた。
【０００３】
【発明が解決しようとする課題】
しかし、このランプソケットは、電線挿入穴からカバーの表面に平行な方向に電線を引き出す際の電線の位置決めが十分でなく電線が動きやすい。
【０００４】
またカバーを打ち込み鋲でボディに固定するため、部品点数が増加し、またカバーに打ち込み穴を開けるためのスペースが必要であるためカバー形状が大きくなる。またランプソケットに要求される電線速結に関する樹脂外殻としての機能を集約した小型コンパクトでかつ電線挿入穴のほか、電線解除穴、端子番号表示などがある多機能なカバーがなかった。
【０００５】
したがって、この発明の目的は、電線を引き出す際の位置決めをより確実にでき、またカバーを小型コンパクトで多機能化しやすいランプソケットおよび照明器具を提供することである。
【０００６】
請求項１記載のランプソケットは、ランプピン接触用の導電部材と、底部に略四角形の開口を有しこの開口の一対向縁部を前記底部の表面より低く形成し前記導電部材を収納するボディと、前記開口に嵌合する形状を有するとともに電線挿入穴を有して前記底部の前記表面より低い位置となるように一対向側縁部が前記開口の前記一対向縁部に当接するカバーとを備え、前記カバーの角部の他対向縁部側に切欠部を形成し、前記電線挿入穴を前記カバーの他対向側縁部に沿って一対の前記切欠部の間に形成し、前記開口は前記カバーの前記切欠部に前記開口の内周が合うように、前記ボディの前記開口の他対向縁部側の内側面の断面形状を前記切欠部と嵌合する形状としたことを特徴とするものである。
【０００７】
請求項１記載のランプソケットによれば、導電部材をボディの開口から収納しカバーで開口を塞ぐことによりソケット本体を組立てることができる。この場合、カバーをボディの底部よりも低くなるように取付け、かつ角部に切欠部を形成したカバーをボディの開口と嵌合するようにボディの開口形状を形成しているため、ボディの開口縁がカバーを開口に挿入する際のガイドとなり、カバーの位置決めが確実に行なえ、かつボディの強度を大きくできる。また電線挿入穴をカバーの他対向側縁部の切欠部間に沿って形成しているため、電線挿入穴よりカバーの表面に沿って引出した一対の電線を切欠部に沿って形成されたボディの開口縁によって互いに引き寄せるように位置決めすることができるので電線の位置決めがより確実になる。さらにボディの底部を取付面としたときカバーが取付面の邪魔にならない。
【０００８】
請求項２記載のランプソケットは、請求項１において、前記カバーは、前記カバーを前記ボディに挿入する方向に突出する一対の係止爪を有し、前記一対の係止爪は前記カバーの前記一対向側縁部の各中央位置からずれた前記カバーの一対角寄りの位置に形成され、前記ボディは前記係止爪を抜止め係止する係止孔を有するものである。
【０００９】
請求項２記載のランプソケットによれば、請求項１と同様な効果のほか、ボディに係止する係止爪を外側近傍に対角寄りで設けたため、係止爪を中央に設ける場合と比較して電線の引っ張り等のカバー外し方向の力に対して強くなり、また従来の打ち込み鋲が不要で部品点数が少なくて済み、カバーも小型化できる。
【００１０】
請求項３記載のランプソケットは、請求項１または請求項２において、電線解除穴を前記電線挿入穴の前記他対向側縁部と反対側に設けたものである。
【００１１】
請求項３記載のランプソケットによれば、スペースの有効利用によりカバーの小型化が可能となり、ボディを小型でまとまった形状にできる。また導電部材収納部を構成するボディが小さくなると器具のソケット取付部を小さくでき、照明器具全体を小型化できる。
【００１２】
請求項４記載のランプソケットは、請求項３において、前記電線挿入穴の前記他対向側縁部と反対側に端子番号を設けたものである。
【００１３】
請求項４記載のランプソケットによれば、請求項３と同様な効果がある。
【００１４】
請求項５記載の照明器具は、請求項１、請求項２、請求項３または請求項４記載のランプソケットを有するものである。
【００１５】
請求項５記載の照明器具によれば、請求項１、請求項２、請求項３または請求項４と同様な効果がある。
【００１６】
【発明の実施の形態】
この発明の一実施の形態を図１から図６により説明する。すなわち、このランプソケットは例えば片口金蛍光灯用ソケットであり、照明器具として蛍光灯に適用される。このランプソケットは、ランプピン接触用の導電部材１と、ボディ２と、カバー３と、ランプ保持ばね４とを有する。
【００１７】
導電部材１は、実施の形態において導電板を打ち抜き・折曲してランプピンを挟持する一対の挟持片５を形成するとともに、端子例えば速結端子６を一体に形成している。
【００１８】
ボディ２は、底部１０に略四角形の開口８を有し、この開口８の一対向縁部９を底部１０の表面より低く形成してあり、内部には導電部材１を収納する。したがって底部１０はソケット短手方向である一対向縁部に隣接するソケット長手方向である他対向縁部にそれぞれ形成される。実施の形態では樹脂ボディであり、ランプ装着側となる前面に４つのランプピン挿入孔１２を形成し、かつ底部１０側に開口８のみ開口した箱形である。また各底部１０は取付面をなすもので、ボディ２の他対向縁部に角筒状に裏面側のみ開口して形成し、各底部１０の中央に前面に貫通して前面より例えばばねじ等の取付部材を挿通することができる取付穴１１を例えば円筒状に形成している。ボディ２の内部は十字形の仕切り１３を設け、仕切り１３で仕切られた各スペース内に導電部材１を位置決め収納する収納部１４を設けている。
【００１９】
カバー３は、開口８に嵌合する形状を有するとともに電線挿入穴１５を有し、ボディ２の底部１０の表面より低い位置となるようにソケット短手方向である一対向側縁部１６がボディ２の開口８の一対向縁部９に当接する。さらにカバー３の角部にそれぞれ切欠部１７が形成され、これに対応してボディ２の開口８の内周面８ａが切欠部１７と嵌合する形状に形成されている。そして、電線挿入穴１５をカバー３の一対向側縁部１６に隣接するソケット長手方向である他対向側縁部１９に沿って一対の切欠部１７の間に一対ずつ形成している。
【００２０】
実施の形態は樹脂カバーであり、カバー３は一対の係止爪２０をボディ２の外側近傍すなわちこの実施の形態では一対向側縁部１６の中央位置からずれた対角寄りの位置に、ボディ２に挿入する方向に突設し、ボディ２は係止爪２０を抜止め係止する係止孔２１を前面側に貫通するように形成している（図５、６参照）。係止爪２０の先端の爪が係止孔２１の端縁に抜止め係止する。そのカバー３の係止爪２０も電線挿入穴１５の他対向側縁部１９と反対側となる内側に設けている。
【００２１】
また速結端子６に結線された電線を外すための電線解除穴２２を電線挿入穴１５の他対向側縁部１９と反対側に設けているが、電線解除穴２２は解除具を傾斜して案内するため長孔状でかつ底部を傾斜して形成しており、電線解除穴２２の一端を電線挿入穴１５に近接し他端をカバー３の一対向側縁１６に接近するように形成している。したがって、カバー３の角部の切欠部１７は電線挿入穴１５と電線解除穴２２に沿って切欠く形状となっている。
【００２２】
さらに電線挿入穴１５の他対向側縁部１９と反対側すなわちカバー３のほぼ中央付近に端子番号２５を設けている。
【００２３】
ランプ保持ばね４は、コ字形の板ばねを用い、ボディ２の両側にそれぞれ浮き上がらせて設けた支持片２６の内側に通して係止固定する構成であり、ランプ保持ばね４の先端の屈曲部４ａでランプ口金を挟持する。
【００２４】
３０はボディ２を軸支する場合の軸受け、３１はランプ口金当接面、３２はカバー３で開口８を閉塞した際の導電部材１の押え部である。
【００２５】
この実施の形態によれば、導電部材１をボディ２の開口から収納しカバー３で開口８を塞ぐことによりソケット本体を組立てることができる。この場合、カバー３をボディ２の底部１０よりも低くなるように取付け、かつ角部に切欠部１７を形成したカバー３をボディ２の開口８と嵌合するようにボディ２の開口形状を形成しているため、ボディ２の開口縁がカバー３を開口８に挿入する際のガイドとなり、カバー３の位置決めが確実に行なえ、かつボディ２の強度を大きくできる。また電線挿入穴１５をカバー３の他対向側縁部１９の切欠部１７間に沿って形成しているため、電線挿入穴１５よりカバー３の表面に沿って引出した一対の電線を、切欠部１７に沿って形成されたボディ２の開口縁によって互いに引き寄せるように位置決めすることができるので電線の位置決めがより確実になる。さらにボディ２の底部１０を取付面としたときカバー３が取付面の邪魔にならない。
【００２６】
またボディ２に係止する係止爪２０を外側近傍に対角寄りで設けたため、係止爪２０を中央部に設ける場合と比較して、電線の引っ張り等のカバー外し方向の力に対して強くなり、また従来の打ち込み鋲が不要で部品点数が少なくて済み、カバー３も小型化できる。
【００２７】
さらに電線解除穴２２を電線挿入穴１５の他対向側縁部１９と反対側に設けたため、スペースの有効利用によりカバー３の小型化が可能となり、ボディ２を小型でまとまった形状にできる。また導電部材収納部を構成するボディ２が小さくなると器具のソケット取付部を小さくでき、照明器具全体を小型化できる。
【００２８】
このように、カバー３に要求される機能（電線解除穴、端子記号、係止爪）を電線挿入穴より内側に設けたため、小型でまとまった形状となり、コンパクトな蛍光灯用ソケットを提供できる。
【００２９】
【発明の効果】
請求項１記載のランプソケットによれば、導電部材をボディの開口から収納しカバーで開口を塞ぐことによりソケット本体を組立てることができる。この場合、カバーをボディの底部よりも低くなるように取付け、かつ角部に切欠部を形成したカバーをボディの開口と嵌合するようにボディの開口形状を形成しているため、ボディの開口縁がカバーを開口に挿入する際のガイドとなり、カバーの位置決めが確実に行なえ、かつボディの強度を大きくできる。また電線挿入穴をカバーの他対向側縁部の切欠部間に沿って形成しているため、電線挿入穴よりカバーの表面に沿って引出した一対の電線を切欠部に沿って形成されたボディの開口縁によって互いに引き寄せるように位置決めすることができるので電線の位置決めがより確実になる。さらにボディの底部を取付面としたときカバーが取付面の邪魔にならない。
【００３０】
請求項２記載のランプソケットによれば、請求項１と同様な効果のほか、ボディに係止する係止爪を外側近傍に対角寄りで設けたため、係止爪を中央に設ける場合と比較して電線の引っ張り等のカバー外し方向の力に対して強くなり、また従来の打ち込み鋲が不要で部品点数が少なくて済み、カバーも小型化できる。
【００３１】
請求項３記載のランプソケットによれば、スペースの有効利用によりカバーの小型化が可能となり、ボディを小型でまとまった形状にできる。また導電部材収納部を構成するボディが小さくなると器具のソケット取付部を小さくでき、照明器具全体を小型化できる。
【００３２】
請求項４記載のランプソケットによれば、請求項３と同様な効果がある。
【００３３】
請求項５記載の照明器具によれば、請求項１、請求項２、請求項３または請求項４と同様な効果がある。
【図面の簡単な説明】
【図１】この発明の一実施の形態の分解斜視図である。
【図２】その組立状態の底面図である。
【図３】その正面図である。
【図４】（ａ）は右側面図、（ｂ）は左側面図である。
【図５】平面図である。
【図６】斜視図である。
【符号の説明】
１    導電部材
２    ボディ
３    カバー
４    ランプ保持ばね
８    開口
９    一対向縁部
１０    底部
１４    収納部
１５    電線挿入穴
１６    一対向側縁部
１７    切欠部
１９    他対向側縁部
２０    係止爪
２１    係止孔
２２    電線解除穴
２５    端子番号
【図１】
0003883783.tif 000002
【図２】
0003883783.tif 000003
【図３】
0003883783.tif 000004
【図４】
0003883783.tif 000005
【図５】
0003883783.tif 000006
【図６】
0003883783.tif 000007